(57)【特許請求の範囲】
【請求項１】
端末装置の表示画面に表示可能であり、ページを管理する管理者によって登録される記事を表示するための記事表示領域と、商品の広告を表示するための広告表示領域とが設けられるページであって、前記ページにおける前記記事を取得する取得手段と、
前記取得される記事に基づいて、商品の商品区分と当該商品区分に属する商品の属性の属性値とを特定する特定手段と、
前記取得される記事に基づいて、前記特定される属性値に対する前記管理者による評価を判定する判定手段と、
複数の商品それぞれの商品情報を記憶する記憶手段に記憶されている商品情報に対応する商品から、前記特定される商品区分に属する商品で、且つ該商品の属性の属性値が前記判定される評価に応じた条件を満たす商品を前記ページにおける前記広告表示領域に広告を表示させる商品として決定する決定手段と、
を備えることを特徴とする情報処理装置。
【請求項２】
前記特定手段は、前記商品の商品特定情報と当該商品の属性とを前記記事から取得し、当該取得した商品特定情報に対応付けられて前記記憶手段に記憶された前記商品区分と、当該取得した属性の属性値であって当該商品特定情報に対応付けられて前記記憶手段に記憶された前記属性値とを特定することを特徴とする請求項１に記載の情報処理装置。
【請求項３】
前記特定手段は、当該特定手段により特定される前記属性値以外の他の属性の属性値であって、前記記事から取得される前記商品の商品特定情報に対応付けられて前記記憶手段に記憶された前記他の属性の属性値をさらに特定し、
前記決定手段は、前記特定手段により特定される前記他の属性の属性値との差が閾値以下である他の属性の属性値を有する商品を、前記広告を表示させる商品として優先して決定することを特徴とする請求項１または２に記載の情報処理装置。
【請求項４】
前記決定手段は、前記特定手段により特定される前記属性値と同一の属性値または当該属性値より有利な属性値を有する商品を、前記広告を表示させる商品として優先して決定することを特徴とする請求項１乃至３の何れか一項に記載の情報処理装置。
【請求項５】
前記決定手段は、前記判定手段により判定される前記評価がポジティブの場合、前記特定手段により特定される前記属性値と同一の属性値を有する商品を、前記広告を表示させる商品として優先して決定することを特徴とする請求項４に記載の情報処理装置。
【請求項６】
前記決定手段は、前記判定手段により判定される前記評価がネガティブの場合、前記特定手段により特定される前記属性値より有利な属性値を有する商品を、前記広告を表示させる商品として優先して決定することを特徴とする請求項４に記載の情報処理装置。
【請求項７】
前記ページには、前記記事表示領域毎に前記記事の登録日時が対応付けられた複数の前記記事表示領域が設けられており、
前記特定手段は、最新の登録日時が対応付けられた前記記事表示領域に表示される記事に基づいて、商品の商品区分と当該商品区分に属する商品の属性の属性値とを特定し、
前記判定手段は、最新の登録日時が対応付けられた前記記事表示領域に表示される記事に基づいて、前記特定手段により特定される前記属性値に対する前記管理者による評価を判定することを特徴とする請求項１乃至６の何れか一項に記載の情報処理装置。
【請求項８】
前記ページには、前記表示画面上でアクティブ状態と非アクティブ状態とを切り替え可能な複数の前記記事表示領域が設けられており、
前記特定手段は、アクティブ状態にある前記記事表示領域に表示される記事に基づいて、商品の商品区分と当該商品区分に属する商品の属性の属性値とを特定し、
前記判定手段は、アクティブ状態にある前記記事表示領域に表示される記事に基づいて、前記特定手段により特定される前記属性値に対する前記管理者による評価を判定することを特徴とする請求項１乃至６の何れか一項に記載の情報処理装置。
【請求項９】
前記ページには、前記表示画面上に固定表示される前記広告表示領域と、前記表示画面上を移動表示可能な前記記事表示領域が設けられており、
前記記事表示領域の移動に応じて、前記広告表示領域に表示される広告を前記端末装置に切り替えさせる制御手段を更に備えることを特徴とする請求項８に記載の情報処理装置。
【請求項１０】
前記制御手段は、前記記事表示領域の前記表示画面に対する表示割合の変化に応じて、前記広告表示領域に表示される広告を前記端末装置に切り替えさせることを特徴とする請求項９に記載の情報処理装置。
【請求項１１】
前記制御手段は、前記アクティブ状態の記事表示領域の当該記事表示領域全体に対する表示割合の変化に応じて、前記広告表示領域に表示される広告を前記端末装置に切り替えさせることを特徴とする請求項９に記載の情報処理装置。
【請求項１２】
コンピュータにより実行される情報処理方法であって、
端末装置の表示画面に表示可能であり、ページを管理する管理者によって登録される記事を表示するための記事表示領域と、商品の広告を表示するための広告表示領域とが設けられるページであって、前記ページにおける前記記事を取得する取得ステップと、
前記取得される記事に基づいて、商品の商品区分と当該商品区分に属する商品の属性の属性値とを特定する特定ステップと、
前記取得される記事に基づいて、前記特定される属性値に対する前記管理者による評価を判定する判定ステップと、
複数の商品それぞれの商品情報を記憶する記憶手段に記憶されている商品情報に対応する商品から、前記特定される商品区分に属する商品で、且つ該商品の属性の属性値が前記判定される評価に応じた条件を満たす商品を前記ページにおける前記広告表示領域に広告を表示させる商品として決定する決定ステップと、
を含むことを特徴とする情報処理方法。
【請求項１３】
コンピュータを、
端末装置の表示画面に表示可能であり、ページを管理する管理者によって登録される記事を表示するための記事表示領域と、商品の広告を表示するための広告表示領域とが設けられるページであって、前記ページにおける前記記事を取得する取得手段、
前記取得される記事に基づいて、商品の商品区分と当該商品区分に属する商品の属性の属性値とを特定する特定手段、
前記取得される記事に基づいて、前記特定される属性値に対する前記管理者による評価を判定する判定手段、
複数の商品それぞれの商品情報を記憶する記憶手段に記憶されている商品情報に対応する商品から、前記特定される商品区分に属する商品で、且つ該商品の属性の属性値が前記判定される評価に応じた条件を満たす商品を前記ページにおける前記広告表示領域に広告を表示させる商品として決定する決定手段として機能させることを特徴とする情報処理プログラム。
【発明の詳細な説明】
【技術分野】
【０００１】
本発明は、Ｗｅｂサイトに登録される記事の内容に連動した広告をユーザへ提供可能なシステム等の技術分野に関する。
【背景技術】
【０００２】
従来から、Ｗｅｂサイトに登録される記事（コンテンツ）の内容に連動した広告を提供可能な広告配信システムが知られている（例えば、特許文献１）。このシステムでは、広告掲載Ｗｅｂサイトの広告掲載対象コンテンツの内容からキーワードやトピックを抽出しておき、閲覧者が端末から広告掲載対象コンテンツへのアクセス要求をした場合に、上記抽出されたキーワードやトピックにより広告を検索し、広告付きのコンテンツを閲覧者の端末に提供するようになっている。これにより、閲覧者にとっては、アクセスしたコンテンツの内容に関連する広告を入手することができる。
【先行技術文献】
【特許文献】
【０００３】
【特許文献１】特開２００７−２８６８３３号公報
【発明の概要】
【発明が解決しようとする課題】
【０００４】
しかしながら、上述したような従来の技術では、記事が登録（投稿）されるＷｅｂサイトが複数のユーザごとに割り当てられる場合に、自身に割り当てられたＷｅｂサイトへ記事を自ら登録した登録者（投稿者）の意図に沿った広告が必ずしも選択されていない。そのため、自身に割り当てられたＷｅｂサイトへ自ら記事を登録した登録者の意図に沿った広告を閲覧者に閲覧させることは困難であった。【０００５】
本発明は、以上の点等に鑑みてなされたものであり、上記記事の登録者の意図に沿った広告を、当該Ｗｅｂサイトから提供されるページに表示させる広告として決定することが可能な情報処理装置、情報処理方法、及び情報処理プログラムを提供することを課題とする。
【課題を解決するための手段】
【０００６】
上記課題を解決するために、請求項１に記載の発明は、端末装置の表示画面に表示可能であり、ページを管理する管理者によって登録される記事を表示するための記事表示領域と、商品の広告を表示するための広告表示領域とが設けられるページであって、前記ページにおける前記記事を取得する取得手段と、前記取得される記事に基づいて、商品の商品区分と当該商品区分に属する商品の属性の属性値とを特定する特定手段と、前記取得される記事に基づいて、前記特定される属性値に対する前記管理者による評価を判定する判定手段と、複数の商品それぞれの商品情報を記憶する記憶手段に記憶されている商品情報に対応する商品から、前記特定される商品区分に属する商品で、且つ該商品の属性の属性値が前記判定される評価に応じた条件を満たす商品を前記ページにおける前記広告表示領域に広告を表示させる商品として決定する決定手段と、を備えることを特徴とする。【０００７】
この発明によれば、記事の登録者（ページの管理者）の意図に沿った広告を当該ページに表示させる広告として決定することができる。【０００８】
請求項２に記載の発明は、請求項１に記載の情報処理装置において、前記特定手段は、前記商品の商品特定情報と当該商品の属性とを前記記事から取得し、当該取得した商品特定情報に対応付けられて前記記憶手段に記憶された前記商品区分と、当該取得した属性の属性値であって当該商品特定情報に対応付けられて前記記憶手段に記憶された前記属性値とを特定することを特徴とする。【０００９】
この発明によれば、記事中に商品区分及び商品の属性の属性値が含まれない場合であっても、商品特定情報及び商品の属性に基づいて商品区分及び属性の属性値を特定することができる。【００１０】
請求項３に記載の発明は、請求項１または２に記載の情報処理装置において、前記特定手段は、当該特定手段により特定される前記属性値以外の他の属性の属性値であって、前記記事から取得される前記商品の商品特定情報に対応付けられて前記記憶手段に記憶された前記他の属性の属性値をさらに特定し、前記決定手段は、前記特定手段により特定される前記他の属性の属性値との差が閾値以下である他の属性の属性値を有する商品を、前記広告を表示させる商品として優先して決定することを特徴とする。【００１１】
この発明によれば、より一層、記事の登録者（ページの管理者）の意図に沿った広告を当該ページに表示させる広告として決定することができる。【００１２】
請求項４に記載の発明は、請求項１乃至３の何れか一項に記載の情報処理装置において、前記決定手段は、前記特定手段により特定される前記属性値と同一の属性値または当該属性値より有利な属性値を有する商品を、前記広告を表示させる商品として優先して決定することを特徴とする。【００１３】
この発明によれば、より一層、記事の登録者（ページの管理者）の意図に沿った広告を当該ページに表示させる広告として決定することができる。【００１４】
請求項５に記載の発明は、請求項４に記載の情報処理装置において、前記決定手段は、前記判定手段により判定される前記評価がポジティブの場合、前記特定手段により特定される前記属性値と同一の属性値を有する商品を、前記広告を表示させる商品として優先して決定することを特徴とする。【００１５】
この発明によれば、記事の登録者（ページの管理者）によるポジティブな表現に基づく意図に沿った広告を当該ページに表示させる広告として決定することができる。【００１６】
請求項６に記載の発明は、請求項４に記載の情報処理装置において、前記決定手段は、前記判定手段により判定される前記評価がネガティブの場合、前記特定手段により特定される前記属性値より有利な属性値を有する商品を、前記広告を表示させる商品として優先して決定することを特徴とする。【００１７】
この発明によれば、記事の登録者（ページの管理者）によるネガティブな表現に基づく意図に沿った広告を当該ページに表示させる広告として決定することができる。【００１８】
請求項７に記載の発明は、請求項１乃至６の何れか一項に記載の情報処理装置において、前記ページには、前記記事表示領域毎に前記記事の登録日時が対応付けられた複数の前記記事表示領域が設けられており、前記特定手段は、最新の登録日時が対応付けられた前記記事表示領域に表示される記事に基づいて、商品の商品区分と当該商品区分に属する商品の属性の属性値とを特定し前記判定手段は、最新の登録日時が対応付けられた前記記事表示領域に表示される記事に基づいて、前記特定手段により特定される前記属性値に対する前記管理者による評価を判定することを特徴とする。【００１９】
この発明によれば、記事の登録者（ページの管理者）の最近の意図に沿った広告をページに表示させる広告として決定することができる。【００２０】
請求項８に記載の発明は、請求項１乃至６の何れか一項に記載の情報処理装置において、前記ページには、前記表示画面上でアクティブ状態と非アクティブ状態とを切り替え可能な複数の前記記事表示領域が設けられており、前記特定手段は、アクティブ状態にある前記記事表示領域に表示される記事に基づいて、商品の商品区分と当該商品区分に属する商品の属性の属性値とを特定し前記判定手段は、アクティブ状態にある前記記事表示領域に表示される記事に基づいて、前記特定手段により特定される前記属性値に対する前記管理者による評価を判定することを特徴とする。【００２１】
この発明によれば、記事の登録者（ページの管理者）の意図に沿った広告であって、なおかつ閲覧者が現在閲覧している記事に応じた広告をＷｅｂページに表示させる広告として決定することができる。【００２２】
請求項９に記載の発明は、請求項８に記載の情報処理装置において、前記ページには、前記表示画面上に固定表示される前記広告表示領域と、前記表示画面上を移動表示可能な前記記事表示領域が設けられており、前記記事表示領域の移動に応じて、前記広告表示領域に表示される広告を前記端末装置に切り替えさせる制御手段を備えることを特徴とする。【００２３】
この発明によれば、閲覧者によるスクロールを伴う閲覧に追従して適切な広告を表示させることができる。【００２４】
請求項１０に記載の発明は、請求項９に記載の情報処理装置において、前記制御手段は、前記記事表示領域の前記表示画面に対する表示割合の変化に応じて、前記広告表示領域に表示される広告を前記端末装置に切り替えさせることを特徴とする。【００２５】
この発明によれば、閲覧者によるスクロールを伴う閲覧に追従して適切な広告を表示させることができる。【００２６】
請求項１１に記載の発明は、請求項９に記載の情報処理装置において、前記制御手段は、前記アクティブ状態の記事表示領域の当該記事表示領域全体に対する表示割合の変化に応じて、前記広告表示領域に表示される広告を前記端末装置に切り替えさせることを特徴とする。【００２７】
この発明によれば、閲覧者によるスクロールを伴う閲覧に追従して適切な広告を表示させることができる。【００２８】
請求項１２に記載の発明は、コンピュータにより実行される情報処理方法であって、端末装置の表示画面に表示可能であり、ページを管理する管理者によって登録される記事を表示するための記事表示領域と、商品の広告を表示するための広告表示領域とが設けられるページであって、前記ページにおける前記記事を取得する取得ステップと、前記取得される記事に基づいて、商品の商品区分と当該商品区分に属する商品の属性の属性値とを特定する特定ステップと、前記取得される記事に基づいて、前記特定される属性値に対する前記管理者による評価を判定する判定ステップと、複数の商品それぞれの商品情報を記憶する記憶手段に記憶されている商品情報に対応する商品から、前記特定される商品区分に属する商品で、且つ該商品の属性の属性値が前記判定される評価に応じた条件を満たす商品を前記ページにおける前記広告表示領域に広告を表示させる商品として決定する決定ステップと、を含むことを特徴とする。【００２９】
請求項１３に記載の発明は、コンピュータを、端末装置の表示画面に表示可能であり、ページを管理する管理者によって登録される記事を表示するための記事表示領域と、商品の広告を表示するための広告表示領域とが設けられるページであって、前記ページにおける前記記事を取得する取得手段、前記取得される記事に基づいて、商品の商品区分と当該商品区分に属する商品の属性の属性値とを特定する特定手段、前記取得される記事に基づいて、前記特定される属性値に対する前記管理者による評価を判定する判定手段、複数の商品それぞれの商品情報を記憶する記憶手段に記憶されている商品情報に対応する商品から、前記特定される商品区分に属する商品で、且つ該商品の属性の属性値が前記判定される評価に応じた条件を満たす商品を前記ページにおける前記広告表示領域に広告を表示させる商品として決定する決定手段として機能させることを特徴とする。
【発明の効果】
【００３０】
本発明によれば、記事の登録者（ページの管理者）の意図に沿った広告を当該ページに表示させる広告として決定することができる。
【図面の簡単な説明】
【００３１】
【図１】本実施形態に係る情報提供システムＳの概要構成例を示す図である。
【図２】記事表示領域と広告表示領域が設けられたＷｅｂページの一例を示す図である。
【図３】（Ａ）は、本実施形態に係る広告処理サーバ２の概要構成例を示すブロック図であり、（Ｂ）は、システム制御部５４における機能ブロックの一例を示す図である。
【図４】広告処理サーバ２のシステム制御部２４における広告提供処理の一例を示すフローチャートである。
【図５】（Ａ）は、表示対象候補選定部２４４により広告データベース２２１から取得された商品の商品情報等のリストの一例を示す図であり、（Ｂ）は、評価がネガティブの場合に選定された表示対象候補を示す図である。
【図６】表示対象候補の表示順位が並べ替えられる様子を示す図である。
【図７】複数の他の属性の属性値の差に応じた距離の合計に基づいて、表示対象候補の表示順位が並べ替えられる様子を示す図である。
【図８】記事表示領域の移動（例えばスクロール）に応じて、広告表示領域に表示される広告が切り替えられる様子を示す図である。
【図９】記事表示領域の表示画面に対する表示割合の変化に応じて、広告表示領域に表示される広告が切り替えられる様子を示す図である。
【発明を実施するための形態】
【００３２】
以下、図面を参照して本発明の実施形態について説明する。なお、以下に説明する実施の形態は、情報提供システムに対して本発明を適用した場合の実施形態である。
［１．情報提供システムの構成及び機能概要］
【００３３】
先ず、本実施形態に係る情報提供システムＳの構成及び概要機能について、図１を用いて説明する。図１は、本実施形態に係る情報提供システムＳの概要構成例を示す図である。図１に示すように、情報提供システムＳは、情報提供サーバ１及び広告処理サーバ２等を含んで構成される。広告処理サーバ２は、本発明の情報処理装置の一例である。情報提供サーバ１及び広告処理サーバ２は、ネットワークＮＷに接続されている。ネットワークＮＷは、例えば、インターネット、専用通信回線（例えば、ＣＡＴＶ（Community Antenna Television）回線）、移動体通信網（基地局等を含む）、及びゲートウェイ等により構築される。また、情報提供サーバ１及び広告処理サーバ２には、ネットワークＮＷを介して、端末Ｔｎ（ｎ＝１，２，３・・・ｋ）が接続可能になっている。なお、端末Ｔｎとしては、例えば、パーソナルコンピュータ（ＰＣ）、携帯電話機、携帯情報端末 (ＰＤＡ：Personal Digital Assistant)、携帯電話と携帯情報端末を融合させた携帯端末（Smartphone）、又は携帯ゲーム機等の端末装置が適用可能である。また、端末Ｔｎのユーザとして、後述するページ管理者、閲覧者、広告主等が挙げられる。
【００３４】
情報提供サーバ１は、ブログサイトやＳＮＳ（Social Networking Service）サイト等のＷｅｂサイトを提供するサーバである。Ｗｅｂサイトは、複数のユーザごとに割り当てられ、固有のＵＲＬ（Uniform Resource Locator）が付与されている。Ｗｅｂサイトには、端末Ｔｎへ提供されるＷｅｂページに表示可能な記事が登録される。記事は、例えばテキストデータにより構成される。Ｗｅｂサイトが割り当てられたユーザは、当該Ｗｅｂサイトから提供されるＷｅｂページを管理する管理者（以下、「ページ管理者」という）となる。このページ管理者には、例えば、端末Ｔｎを通じて所定の手続きを行うことでＷｅｂサイトを開設した開設者（ユーザ）が該当する。また、Ｗｅｂサイトの開設者の他にも、例えばブログサイトの運営者から提供されるブログサービスの利用者もページ管理者に該当する。ただし、例えば掲示板のようにＷｅｂページの管理者により登録された記事に比べて、該Ｗｅｂページの管理者とは異なるユーザにより登録された記事をより多く含むＷｅｂページを提供するＷｅｂサイトは、本発明の適用対象外である。
【００３５】
上記Ｗｅｂサイトから提供されるＷｅｂページは、ＨＴＭＬ（Hyper Text Markup Language）文書やＸＨＴＭＬ文書等の構造化文書、及び画像データ等により構成される。端末Ｔｎは、ＷｅｂブラウザによりＷｅｂサイトのＵＲＬを指定することで、該Ｗｅｂサイトから提供されたＷｅｂページをディスプレイ上に表れた表示画面（ウインドウ画面）に表示する。これにより、当該Ｗｅｂサイトのページ管理者、または当該Ｗｅｂサイトのページ管理者以外の閲覧者は、Ｗｅｂページ上に表示された情報を閲覧することができる。このようなＷｅｂページには、少なくとも、Ｗｅｂサイトのページ管理者より登録された記事を表示（記述）するための記事表示領域と、商品の広告を表示するための広告表示領域とが設けられる。ここで、商品とは取引対象となるものをいい、物品ばかりでなくサービス等も含まれる。サービスには、施設の宿泊サービス、利用サービス等様々なものが含まれる。広告表示領域には、広告処理サーバ２に対して広告配信要求を行い、広告処理サーバ２から広告（広告データ）を取得して該広告表示領域に埋め込むスクリプトが設定されている。このスクリプトは、所定のスクリプト言語（例えば、JavaScript（登録商標））により構成されており、Ｗｅｂページを構成する構造化文書内に記述されている。広告処理サーバ２から提供される広告は、例えばテキストデータや画像データ等により構成される。また、広告には、商品の情報を提供するＷｅｂサイトや商品の注文手続を行うＷｅｂサイトへのリンク（ハイパーリンク）が設定されている。
【００３６】
図２は、記事表示領域と広告表示領域が設けられたＷｅｂページの一例を示す図である。図２の例では、Ｗｅｂページには、複数の記事表示領域５１〜５３、及び複数の広告表示領域６１〜６３が設けられている。記事表示領域５１〜５３には、それぞれ、該記事表示領域に表示される記事の登録日時が対応付けられている。登録日時が新しい記事ほどＷｅｂページのより上部（最初に表示される位置）に設けられた記事表示領域に表示される。具体的には、図２に示すＷｅｂページに含まれる記事ａ〜ｃのうち、登録日時が１番新しい記事ａがＷｅｂページの１番上部の記事表示領域５１に表示される。また、登録日時が２番目に新しい記事ｂがＷｅｂページの２番目に上部の記事表示領域５２に表示され、登録日時が３番目に新しい記事ｃがＷｅｂページの３番目に上部の記事表示領域５３に表示される。図２の例では、広告表示領域６１〜６３が隣接して設けられているが、各広告表示領域６１〜６３は任意の表示位置に設けられてもよい。また、図２に示すように、端末Ｔｎの表示画面Ｄ内に収まりきれないＷｅｂページの領域は、記事の登録者（ページ管理者）や閲覧者などによるスクロール操作に応じてスクロールすることで表示画面Ｄに表示される。これにより、記事表示領域５１〜５３及び広告表示領域６１〜６３は、それぞれ、表示画面Ｄ上でアクティブ状態と非アクティブ状態とを切り替え可能になっている。ここで、アクティブ状態とは、表示画面Ｄに表示されている状態をいう。アクティブ状態にある記事表示領域は、記事の登録者（ページ管理者）により入力される記事を受付可能になっている。そして、記事の登録者（ページ管理者）により入力された記事は、当該Ｗｅｂページを提供したＷｅｂサイトに登録され、記事表示領域に表示されることになる。また、アクティブ状態にある広告表示領域は、閲覧者による広告の選択を受付可能になっている。閲覧者により広告が選択された場合、選択された広告に設定されたリンクにより例えば商品の情報が掲載されるＷｅｂページが表示されることになる。なお、端末Ｔｎの表示画面Ｄ内に収まりきれないＷｅｂページの領域は、例えばAjaxの技術を用いることにより、スクロールに応じて情報提供サーバ１からその都度取得されるように構成してもよい。
【００３７】
図３（Ａ）は、本実施形態に係る広告処理サーバ２の概要構成例を示すブロック図である。図３（Ａ）に示すように、広告処理サーバ２は、通信部２１、記憶部２２（記憶手段の一例）、入出力インターフェース部２３、及びシステム制御部２４等を備えている。システム制御部２４と入出力インターフェース部２３とは、システムバス２５を介して接続されている。通信部２１は、ネットワークＮＷに接続され、通信状態の制御を行う。
【００３８】
記憶部２２は、例えば、ハードディスクドライブなどにより構成されており、オペレーティングシステム及び広告提供処理プログラム（本発明の情報処理プログラムを含む）などの各種プログラムを記憶する。なお、広告提供処理プログラムは、例えば、所定のサーバなどからネットワークＮＷを介してダウンロードされるようにしても良いし、ＣＤ（Compact Disc）、ＤＶＤ（Digital Versatile Disc）などの記録媒体に記録（コンピュータにより読み取り可能に記録）されて読み込まれるようにしてもよい。また、記憶部２２には、例えば、広告主から提供された広告（広告データ）が、広告を識別する広告ＩＤ（広告の広告ＩＤ）に対応付けられて記憶されている。
【００３９】
また、記憶部２２には、広告データベース（ＤＢ）２２１などが設けられる。なお、このデータベースは、記憶部２２に設けられるのではなく、広告処理サーバ２とは異なる他のサーバに設けられるように構成してもよい。広告データベース２２１には、広告の広告ＩＤ、広告主を識別する広告主ＩＤ（広告主の広告主ＩＤ）、広告の入札金額、及び広告対象となる商品の商品情報が対応付けられて登録されている。ここで、広告の入札金額とは、広告表示領域に広告を表示させるために広告主により指定された金額をいう。広告主からの広告依頼数が広告表示領域の数より多い場合、入札金額が高い広告ほど広告表示領域に表示させる広告として決定され易くなる。また、広告対象となる商品の商品情報には、商品を識別する商品ＩＤ（商品の商品ＩＤ）、商品の商品区分、属性及び属性値等が対応付けられて含まれる。ここで、商品ＩＤは、商品を一意に特定する商品特定情報の一例である。商品を一意に特定できるものであれば、商品ＩＤ以外の情報であってもよい（例えば、商品コード等）。商品の商品区分は、例えば、商品のカテゴリを示す。商品区分の例として、「カメラ」、「テレビ」、「洗濯機」、「冷蔵庫」等が挙げられる。なお、商品区分は、上位階層（上位レベル）から下位階層（下位レベル）までの複数階層に区分されるように構成してもよい。商品の属性は、例えば、商品に属する性能（性質）や価格帯等を示す。例えば、商品区分「カメラ」の属性の例として、画素、ズーム、重量、価格帯等が挙げられる。なお、商品の属性には、商品のメーカが含まれてもよい。属性の属性値は、属性の具体的な値等を示す。例えば、属性「画素」の属性値の例として、８００万、１０００万等が挙げられる。
【００４０】
システム制御部２４は、ＣＰＵ（Central Processing Unit）２４ａ、ＲＯＭ（Read Only Memory）２４ｂ、ＲＡＭ（Random Access Memory）２４ｃ等により構成される。図３（Ｂ）は、システム制御部５４における機能ブロックの一例を示す図である。コンピュータとしてのシステム制御部２４は、記憶部２２に記憶された広告提供処理プログラムにしたがって、広告提供処理を実行する。この広告提供処理において、システム制御部２４は、図３（Ｂ）に示すように、記事取得部２４１、商品特定部２４２、評価判定部２４３、表示対象候補選定部２４４、表示対象広告決定部２４５、及び広告表示制御部２４６等として機能する。なお、記事取得部２４１は、本発明における取得手段の一例である。商品特定部２４２は、本発明における特定手段の一例である。評価判定部２４３は、本発明における判定手段の一例である。表示対象広告決定部２４５は、本発明における決定手段の一例である。広告表示制御部２４６は、本発明における制御手段の一例である。
【００４１】
記事取得部２４１は、上述した記事表示領域と広告表示領域とが設けられるＷｅｂページにおける記事を、例えば当該Ｗｅｂページを表示する端末Ｔｎから取得する。ここで取得される記事は、当該Ｗｅｂページのページ管理者により登録された記事である。なお、例えばＷｅｂページに設けられた広告表示領域の数が記事と共に取得されるように構成してもよい。
【００４２】
商品特定部２４２は、記事取得部２４１により取得された記事に基づいて、商品の商品区分と当該商品区分に属する商品の属性の属性値とを特定する。例えば、商品特定部２４２は、予め用意された商品区分リストに登録された商品区分と一致する商品区分を記事から特定すると共に、予め用意された属性リストに登録された属性と一致する属性を記事から特定する。そして、商品特定部２４２は、当該記事中において当該属性（例えば、画素）に対応付けられている（例えば、属性を表す文字の前又は後に記述されている）属性値（例えば、８００万画素）を特定する。一方、商品特定部２４２は、記事中に商品の商品区分と属性の属性値が含まれていないため商品区分と属性値とを特定できないが、例えば予め用意された商品ＩＤリスト及び属性リストを用いて、商品の商品ＩＤと当該商品の属性を記事から特定できる場合がある。この場合、商品特定部２４２は、商品ＩＤリスト及び属性リストに対応する商品の商品ＩＤと商品の属性とを記事から取得し、当該取得した商品ＩＤに対応付けられて広告データベース２２１に登録されている商品区分と、当該取得した属性の属性値であって当該商品ＩＤに対応付けられて広告データベース２２１に登録されている属性値とを特定する。
【００４３】
評価判定部２４３は、記事取得部２４１により取得された記事に基づいて、商品特定部２４２により特定された上記属性値に対する上記ページ管理者による評価を判定する。例えば、評価判定部２４３は、予め用意された評価ワードリストに登録された評価ワードと一致するワードを記事から特定し、当該特定したワードと、上記特定された属性（属性の関連語でもよい）又は属性値との係り受け関係から評価（例えば、属性値→悪い）を判定する。なお、属性の関連語の例として、属性が画素であった場合、その関連語は「画質」が該当する。ここで、評価ワードには、「良い」や「軽い」等のポジティブワードと、「悪い」や「重い」等のネガティブワードが含まれる。評価ワードがポジティブワードであれば、評価判定部２４３により判定される評価はポジティブとなる。一方、評価ワードがネガティブワードであれば、評価判定部２４３により判定される評価はネガティブとなる。なお、評価ワードは、属性毎に異なる場合があるので、評価ワードリストには属性毎に評価ワードが登録されてもよい。
【００４４】
表示対象候補選定部２４４は、広告データベース２２１に記憶されている商品情報に対応する商品から、商品特定部２４２により特定された商品区分に属する商品で、且つ該商品の属性の属性値が、評価判定部２４３により判定された評価に応じた選定条件を満たす商品を表示対象候補として選定する。ここで、評価に応じた選定条件は、評価がポジティブの場合と評価がネガティブの場合とで異なる。評価がポジティブの場合の選定条件として、「商品特定部２４２により特定される属性値と同一の属性値を有すること」という条件が挙げられる。この場合、表示対象候補選定部２４４は、商品特定部２４２により特定される属性値と同一の属性値を有する商品を表示対象候補として選定する。一方、評価がネガティブの場合の選定条件として、「商品特定部２４２により特定される属性値より有利な属性値を有すること」という条件が挙げられる。この場合、表示対象候補選定部２４４は、商品特定部２４２により特定される属性値より有利な属性値を有する商品を表示対象候補として選定する。ここで、有利な属性値を有する商品には、当該記事を登録したページ管理者（投稿者）の当該属性値に対する要望を満たす商品（例えば、性能が良い商品等）が該当する。
【００４５】
表示対象広告決定部２４５は、表示対象候補選定部２４４により表示対象候補として選定された商品の中から、上記Ｗｅｂページにおける広告表示領域に広告を表示させる商品を決定する。例えば、表示対象広告決定部２４５は、当該Ｗｅｂページに設けられた広告表示領域の数分の商品を決定する。なお、広告表示領域の数より多い数の表示対象候補が選定された場合、表示対象広告決定部２４５は、例えば広告の入札金額、又は広告のスコアの高い上位の表示対象候補を、広告表示領域に広告を表示させる商品として決定する。ここで、広告のスコアは、記事取得部２４１により取得された記事に含まれるキーワード（例えば、商品の区分）に基づき算出される。例えば、当該キーワードを多く含む広告ほどスコアが高くなる。なお、広告のスコアは、一般的な検索エンジンで検索結果をソートして表示させる際に用いられる手法で算出されるものであってもよい。なお、本実施形態では、表示対象広告決定部２４５は、表示対象候補選定部２４４により表示対象候補として選定された商品の中から広告表示領域に広告を表示させる商品を決定するように構成しているが、表示対象広告決定部２４５は、商品特定部２４２により特定された商品区分に属する商品で、且つ該商品の属性の属性値が、評価判定部２４３により判定される評価に応じた条件を満たす商品を、上記Ｗｅｂページにおける広告表示領域に広告を表示させる商品として、広告データベース２２１から決定するように構成してもよい。この場合、表示対象候補選定部２４４を設けなくともよい。
【００４６】
広告表示制御部２４６は、表示対象広告決定部２４５により決定された商品の広告を端末ＴｎのＷｅｂブラウザに提供（送信）することでＷｅｂページにおける広告表示領域に表示させる。
【００４７】
なお、システム制御部２４は、上述した機能の他にも、広告主の端末Ｔｎを介して広告入札を受け付け、入札された広告に関する情報を広告データベース２２１に登録する機能を有する。
［２．情報提供システムＳの動作］
【００４８】
次に、本実施形態に係る情報提供システムＳの動作例について、図４を用いて説明する。図４は、広告処理サーバ２のシステム制御部２４における広告提供処理の一例を示すフローチャートである。図４に示す処理は、例えば、広告処理サーバ２が端末ＴｎからネットワークＮＷを介して送信された広告配信要求を受信した場合に開始される。
【００４９】
なお、端末ＴｎのＷｅｂブラウザは、情報提供サーバ１から取得したＷｅｂページを表示する際に、当該Ｗｅｂページの広告表示領域に埋め込まれたスクリプトを実行することで、所定の記事表示領域に記述された記事を取得する。そして、Ｗｅｂブラウザは、広告処理サーバ２のアドレス情報に従ってネットワークＮＷを介して広告処理サーバ２へアクセスし、上記取得した記事と当該Ｗｅｂページの広告表示領域の数とを含む広告配信要求を広告処理サーバ２へ送信する。また、Ｗｅｂページに複数の記事表示領域が設けられている場合、全ての記事表示領域に記述された記事及び記事の登録日時が広告配信要求に含まれるように構成してもよい。或いは、この場合、最新の登録日時が対応付けられた記事表示領域に記述された記事（つまり、最新の記事）、またはアクティブ状態にある記事表示領域に記述された記事が広告配信要求に含まれるように構成してもよい。
【００５０】
図４に示す処理が開始されると、システム制御部２４の記事取得部２４１は、受信された広告配信要求から記事及び広告表示領域の数（以下、「広告表示領域数」という）等を取得する（ステップＳ１）。例えば、広告配信要求から、最新の記事、またはアクティブ状態にある記事表示領域に記述された記事が取得される。また、広告配信要求に複数の記事が含まれている場合、例えば、複数の記事の中で、最新の登録日時が対応付けられた記事が取得される。或いは、この場合、複数の記事の中で、商品ＩＤがより多く含まれる記事が取得されるように構成してもよい。
【００５１】
次いで、システム制御部２４の商品特定部２４２は、ステップＳ１で取得された記事中に、商品区分及び商品の属性の属性値が含まれるか否かを例えば上述した商品区分リスト及び属性リストを用いて判定する（ステップＳ２）。そして、記事中に、商品区分及び商品の属性の属性値が含まれると判定された場合（ステップＳ２：ＹＥＳ）、ステップＳ３へ進む。一方、記事中に、商品区分及び商品の属性の属性値が含まれないと判定された場合（ステップＳ２：ＮＯ）、ステップＳ４へ進む。
【００５２】
ステップＳ３では、システム制御部２４の商品特定部２４２は、商品の商品区分と当該商品区分に属する商品の属性の属性値とを当該記事から特定し、ステップＳ７へ進む。例えば、取得された記事が「８００万画素のカメラは画質が悪い」である場合、当該記事から商品区分「カメラ」及び属性「画素」の属性値「８００万画素」が特定される。
【００５３】
ステップＳ４では、システム制御部２４の商品特定部２４２は、ステップＳ１で取得された記事中に、商品ＩＤ及び商品の属性が含まれるか否かを例えば上述した商品ＩＤリスト及び属性リストを用いて判定する。そして、記事中に、商品ＩＤ及び商品の属性が含まれると判定された場合（ステップＳ４：ＹＥＳ）、ステップＳ５へ進む。一方、記事中に、商品ＩＤ及び商品の属性が含まれないと判定された場合（ステップＳ４：ＮＯ）、ステップＳ６へ進む。
【００５４】
ステップＳ５では、システム制御部２４の商品特定部２４２は、商品の商品区分と当該商品区分に属する商品の属性の属性値とを、広告データベース２２１から特定し、ステップＳ７へ進む。例えば、取得された記事が「Ｃ０１は画素が悪い」である場合、当該記事から商品ＩＤ「Ｃ０１」と属性「画素」とが取得される。そして、取得された商品ＩＤ「Ｃ０１」に対応付けられて広告データベース２２１に登録されている商品区分「カメラ」と、当該取得した属性「画素」の属性値であって当該商品ＩＤ「Ｃ０１］に対応付けられて広告データベース２２１に登録されている属性値「８００万画素」とを特定する。これにより、記事中に商品区分及び商品の属性の属性値が含まれない場合であっても、商品ＩＤ及び商品の属性に基づいて商品区分及び属性の属性値を特定することができる。
【００５５】
ステップＳ６では、システム制御部２４は、記事に基づかない通常の広告決定処理を実行する。この広告決定処理では、例えば広告の入札金額、又は広告のスコアの高い上位の商品を、広告表示領域に広告を表示させる商品として決定し、ステップＳ９へ進む。
【００５６】
ステップＳ７では、システム制御部２４の評価判定部２４３は、ステップＳ１で取得された記事に基づいて、ステップＳ３又はＳ５で特定された属性値に対するページ管理者による評価を判定し、ステップＳ８へ進む。この判定は、例えば上述した評価ワードリストが用いられて実行される。取得された記事が「８００万画素のカメラは画質が悪い」である場合、属性値に対するページ管理者による評価は「８００万画素→悪い」と判定される。一方、取得された記事が「１０００万画素のカメラは画質が良い」である場合、属性値に対するページ管理者による評価は「１０００万画素→良い」と判定される。
【００５７】
ステップＳ８では、システム制御部２４の表示対象候補選定部２４４は、ステップＳ３又はＳ５で特定された商品区分に属する商品の商品情報等を広告データベース２２１から取得し、ステップＳ９へ進む。図５（Ａ）は、表示対象候補選定部２４４により広告データベース２２１から取得された商品の商品情報等のリストの一例を示す図である。図５（Ａ）に示すリストには、商品ＩＤ、商品区分、及び属性の属性値に加えて、広告ＩＤ、広告のスコア、及び表示順位が示されている。図５（Ａ）の例では、表示順位は、広告のスコアの高い順になっているが、広告の入札金額の高い順になっていてもよい。
【００５８】
ステップＳ９では、システム制御部２４の表示対象候補選定部２４４は、ステップＳ８で取得された商品情報に対応する商品の中から、ステップＳ７で判定された評価に応じた選定条件を満たす商品を表示対象候補として選定（例えば商品ＩＤを抽出することにより選定）し、ステップＳ１０へ進む。例えば、評価が「８００万画素→悪い」というようにネガティブの場合、上述したように、表示対象候補選定部２４４は、ステップＳ３又はＳ５で特定された属性値より有利な属性値を有する商品を表示対象候補として選定する。図５（Ｂ）は、評価がネガティブの場合に選定された表示対象候補を示す図である。図５（Ｂ）の例では、評価が悪いと判定された属性値「８００万画素」よりも大きい画素を有する商品（有利な属性値を有する商品）が表示対象候補として選定されている。一方、例えば、評価が「１０００万画素→良い」というようにポジティブの場合、上述したように、表示対象候補選定部２４４は、ステップＳ３又はＳ５で特定された属性値と同一の属性値を有する商品を表示対象候補として選定する。なお、評価がポジティブの場合にも、表示対象候補選定部２４４は、ステップＳ３又はＳ５で特定された属性値より有利な属性値を有する商品が表示対象候補として選定されるように構成してもよい。
【００５９】
ステップＳ１０では、システム制御部２４は、優先広告決定処理を行うか否かを判定する。例えば、ステップＳ１で取得された記事に商品ＩＤが含まれる場合、優先広告決定処理を行うと判定される。そして、優先広告決定処理を行うと判定された場合（ステップＳ１０：ＹＥＳ）、優先広告決定処理を開始し、ステップＳ１２へ進む。一方、優先広告決定処理を行わないと判定された場合（ステップＳ１０：ＮＯ）、ステップＳ１１へ進む。なお、例えば広告処理サーバ２を運用して広告の提供を行う運用者等により優先広告決定処理がロックされるように構成してもよい。
【００６０】
ステップＳ１１では、システム制御部２４の表示対象広告決定部２４５は、ステップＳ９で表示対象候補として選定された商品の中から、広告配信要求元のＷｅｂページにおける広告表示領域に広告を表示させる商品を決定し、ステップＳ１５へ進む。例えば、表示対象広告決定部２４５は、例えば図５（Ａ），（Ｂ）に示す表示順位（例えばスコア順）に基づいて、表示対象候補として選定された商品の中から表示順位が高い上位の商品を決定（ステップＳ１で取得された広告表示領域数分）する。図２に示すＷｅｂページの場合、３つの広告表示領域６１〜６３が設けられているので、広告表示領域に広告を表示させる商品として３つの商品（図５（Ｂ）の例では、商品ＩＤが「Ｃ０２」、「Ｎ０１」、及び「Ｎ０２」の商品）が決定される。
【００６１】
ステップＳ１２では、システム制御部２４の商品特定部２４２は、ステップＳ１で取得された記事から商品ＩＤを取得する。次いで、システム制御部２４の商品特定部２４２は、上記ステップＳ３又はＳ５で特定された属性値以外の他の属性の属性値であって、ステップＳ１２で取得された商品ＩＤに対応付けられて広告データベース２２１に登録された他の属性の属性値を特定する（ステップＳ１３）。例えば、上記ステップＳ３又はＳ５で特定された属性値が「画素」であるとすると、商品ＩＤ「Ｃ０１」に対応付けられた他の属性「価格帯」の属性値「￥２０，０００〜￥３９，９９９」が特定される。
【００６２】
次いで、システム制御部２４の表示対象広告決定部２４５は、ステップＳ９で選定された表示対象候補の中から、ステップＳ１３で特定された他の属性の属性値との差が閾値以下である他の属性の属性値を有する商品（以下、「優先商品」という）を、広告配信要求元のＷｅｂページにおける広告表示領域に広告を表示させる商品として優先して決定する（ステップＳ１４）。例えば、表示対象広告決定部２４５は、上記優先商品の表示順位が上位にくるように表示順位を並べ替えた上で、当該表示順位が高い上位の商品を決定（ステップＳ１で取得された広告表示領域数分）する。ここで、「他の属性の属性値との差が閾値以下である」とは、他の属性の属性値が同一若しくは近いことを意味する。図６は、表示対象候補の表示順位が並べ替えられる様子を示す図である。図６の例では、商品ＩＤ「Ｃ０１」と属性値が同一である商品（商品ＩＤが「Ｎ０３」の商品）が最も優先され、その表示順位が最上位に変更されている。なお、例えば商品ＩＤ「Ｃ０１」と属性値が同一である商品が複数ある場合、これらの商品の表示順位は、元の表示順位（例えばスコア順）に基づくように構成してもよい。また、上記「他の属性の属性値」は、価格帯の属性値の他にも、例えばズームの属性値、または重量の属性値であってもよい。
【００６３】
なお、例えば、取得された記事が「Ｃ０１は画素だけが悪い」というように、特に、記事中に属性を限定する用語（「だけ」、又は「限り」等）が含まれ、且つ評価がネガティブである場合、上記ステップＳ１３において、商品特定部２４２は、商品ＩＤに対応付けられて広告データベース２２１に登録された他の属性の属性値を複数特定するように構成することが望ましい。この場合、例えば、上記ステップＳ３又はＳ５で特定された属性値が「画素」であるとすると、商品ＩＤ「Ｃ０１」に対応付けられた他の属性「ズーム」の属性値「１０倍」、他の属性「重量」の属性値「５００ｇ」、及び他の属性「価格帯」の属性値「￥２０，０００〜￥３９，９９９」が特定される。そして、ステップＳ１４において、表示対象広告決定部２４５は、ステップＳ９で選定された表示対象候補の中から、ステップＳ１３で特定された複数の他の属性の属性値との差が閾値以下である複数の他の属性の属性値を有する優先商品を決定する。ここで、「他の属性の属性値との差」は、他の属性の属性値ごとに、距離（属性値間の近さ）として算出される。例えば、属性値が同一である場合、距離は「０」となる。そして、他の属性の属性値ごとに算出された距離が合計され、合計された距離が近い商品ほど優先して決定される。図７は、複数の他の属性の属性値の差に応じた距離の合計に基づいて、表示対象候補の表示順位が並べ替えられる様子を示す図である。図７の例では、合計された距離が最も近い（距離に係る値が最も小さい）商品（商品ＩＤが「Ｎ０３」の商品）が最も優先され、その表示順位が最上位に変更されている。
【００６４】
そして、ステップＳ１５では、システム制御部２４の広告表示制御部２４６は、ステップＳ６、ステップＳ１１、又はステップＳ１４で決定された商品の広告（広告データ）を端末ＴｎのＷｅｂブラウザへ応答（送信）して広告表示領域へ表示させる。なお、ステップＳ６、ステップＳ１１、又はステップＳ１４で決定された広告が複数である場合、各広告及び広告の表示順位を示す情報が端末ＴｎのＷｅｂブラウザへ送信されるように構成してもよい。こうして、端末ＴｎのＷｅｂブラウザは商品の広告を取得すると、Ｗｅｂページの広告表示領域に当該広告を表示する。なお、端末ＴｎのＷｅｂブラウザは、複数の広告及び広告の表示順位を示す情報を取得した場合、当該表示順位にしたがって各広告表示領域に各広告を表示する。例えば広告を表示順位が高い広告ほど、Ｗｅｂページの上部に設けられた広告表示領域（図２の例では、広告表示領域６１）に表示する。
【００６５】
以上説明したように、上記実施形態によれば、広告処理サーバ２は、端末Ｔｎから広告配信要求を受信した場合に、当該端末Ｔｎに表示されるＷｅｂページに記述された記事に基づいて商品の商品区分と当該商品区分に属する商品の属性の属性値とを特定し、且つ当該記事に基づいて当該属性値に対するページ管理者による評価を判定する。そして、広告処理サーバ２は、当該特定された商品区分に属する商品で、且つ当該判定された評価に応じた選定条件を満たす商品を表示対象候補として選定し、当該選定した商品の中から、上記Ｗｅｂページにおける広告表示領域に広告を表示させる商品を決定するように構成したので、記事の登録者であるページ管理者の意図に沿った広告を上記Ｗｅｂページに表示させる広告として決定することができる。
【００６６】
また、広告配信要求から最新の記事が取得された場合、広告処理サーバ２は、最新の記事に基づいて商品の商品区分と当該商品区分に属する商品の属性の属性値とを特定し、且つ当該記事に基づいて当該属性値に対するページ管理者による評価を判定して、上述したように広告表示領域に広告を表示させる商品を決定するので、ページ管理者の最近の意図に沿った広告を上記Ｗｅｂページに表示させる広告として決定することができる。
【００６７】
また、広告配信要求からアクティブ状態にある記事表示領域に記述された記事が取得された場合、広告処理サーバ２は、アクティブ状態にある記事表示領域に記述された記事に基づいて商品の商品区分と当該商品区分に属する商品の属性の属性値とを特定し、且つ当該記事に基づいて当該属性値に対するページ管理者による評価を判定して、上述したように広告表示領域に広告を表示させる商品を決定するので、ページ管理者の意図に沿った広告であって、なおかつ閲覧者が現在閲覧している記事に応じた広告を上記Ｗｅｂページに表示させる広告として決定することができる。
【００６８】
また、上記選定された表示対象候補の中から他の属性の属性値との差が閾値以下である他の属性の属性値を有する優先商品を、広告表示領域に広告を表示させる商品として優先して決定する構成によれば、Ｗｅｂページに表示させる広告を、より一層、記事の登録者であるページ管理者の意図に沿うようにすることができる。
［３．他の実施例］
【００６９】
上記実施形態においては、図２に示すように、記事表示領域５１〜５３及び広告表示領域６１〜６３が表示画面Ｄ上を移動表示（例えばスクロール表示）可能である構成について説明したが、記事表示領域５１〜５３が表示画面Ｄ上を移動表示可能とし、広告表示領域６１〜６３が表示画面Ｄ上に固定表示されるように構成してもよい。ここで、広告表示領域６１〜６３が固定表示の状態では、Ｗｅｂページの表示中、広告表示領域６１〜６３上に別のウインドウ画面が重なっていない限り常にアクティブ状態にある。このようなＷｅｂページの場合、広告処理サーバ２の広告表示制御部２４６は、記事表示領域の移動（例えばスクロール）に応じて、広告表示領域に表示される広告を端末ＴｎのＷｅｂブラウザに切り替えさせるように構成するとよい。
【００７０】
図８は、記事表示領域の移動（例えばスクロール）に応じて、広告表示領域に表示される広告が切り替えられる様子を示す図である。図８の例では、広告表示領域６１〜６３を含む右半分の領域が固定表示状態になっている。例えば、図８（Ａ）に示すように記事表示領域５１がアクティブ状態にあるときには、当該記事表示領域５１に記述された記事ａに基づいて図４に示す処理により決定された商品の広告ａ１〜ａ３が広告表示領域６１〜６３に表示される。そして、記事表示領域の移動（例えばスクロール）に応じて、図８（Ｂ）に示すように記事表示領域５２がアクティブ状態になったときには、当該記事表示領域５２に記述された記事ｂに基づいて図４に示す処理により決定された商品の広告ｂ１〜ｂ３が広告表示領域６１〜６３に表示されるように切り替えられる。このような広告表示切り替え制御は、広告表示制御部２４６が記事表示領域の移動（例えばスクロール）に応じてリアルタイムに行うように構成してもよい。しかし、システム負荷やタイムタグを低減するために、広告表示制御部２４６は、予め記事表示領域５１〜５３に記述されたそれぞれの記事ａ〜ｃを取得し、それぞれの記事に基づいて図４に示す処理により記事ａ〜ｃごとに商品を決定して当該商品の広告とともに上記広告表示切り替え制御を規定するスクリプトを端末ＴｎのＷｅｂブラウザへ送信するように構成することが望ましい。これにより、広告表示制御部２４６は広告表示領域に表示される広告をＷｅｂブラウザに切り替えさせる。このような構成によれば、閲覧者によるスクロールを伴う閲覧に追従して適切な広告を表示させることができる。
【００７１】
更に、広告表示制御部２４６は、アクティブ状態の記事表示領域の当該記事表示領域全体に対する表示割合「記事表示領域の表示部分の面積／記事表示領域全体の面積」の変化に応じて、広告表示領域に表示される広告を端末ＴｎのＷｅｂブラウザに切り替えさせるように構成してもよい。なお、記事表示領域内の表示部分の当該記事表示領域全体に対する表示割合の代わりに、記事表示領域の表示画面Ｄに対する表示割合「記事表示領域の表示部分の面積／表示画面全体の面積」を適用してもよい。ここで、記事表示領域の表示画面Ｄに対する表示割合には、表示画面Ｄから広告表示領域を含む固定表示領域を除いた部分に対する表示割合「記事表示領域の表示部分の面積／（表示画面全体の面積−固定表示領域全体の面積）」も含まれる。また、記事表示領域の表示画面Ｄに対する表示割合には、表示画面Ｄから記事表示領域以外の部分を除いた部分に対する表示割合「記事表示領域の表示部分の面積／（表示画面全体の面積−記事表示領域以外の部分の面積）」も含まれる。
【００７２】
図９は、記事表示領域内の表示部分の当該記事表示領域全体に対する表示割合の変化に応じて、広告表示領域に表示される広告が切り替えられる様子を示す図である。例えば、図９（Ａ）に示すように、記事表示領域５１内の表示部分の当該記事表示領域５１全体に対する表示割合が「６６％以上１００％以下」にあるときには、当該記事表示領域５１に記述された記事ａに基づいて図４に示す処理により決定された商品の広告ａ１〜ａ３が広告表示領域６１〜６３に表示される。そして、記事表示領域の移動（例えばスクロール）に応じて、図９（Ｂ）に示すように記事表示領域５１内の表示部分の当該記事表示領域５１全体に対する表示割合が「３３％以上６６％未満」になったときには、当該記事表示領域５１に記述された記事ａに基づいて図４に示す処理により決定された商品の広告ａ１及びａ２が広告表示領域６１及び６２に表示されるが、広告表示領域６３には表示されないように切り替えられる。つまり、この場合、広告表示領域６３には、記事表示領域５２に記述された記事ｂに基づいて図４に示す処理により決定された商品の広告ｂ１が表示されるように切り替えられる。更に、図９（Ｃ）に示すように記事表示領域５１内の表示部分の当該記事表示領域５１全体に対する表示割合が「０％以上３３％未満」になったときには、当該記事表示領域５１に記述された記事ａに基づいて図４に示す処理により決定された商品の広告ａ１が広告表示領域６１のみに表示されるように切り替えられる。このように、広告表示制御部２４６は、複数の広告表示領域の中で、表示割合に応じた割合の広告表示領域に表示される広告を端末ＴｎのＷｅｂブラウザに切り替えさせる。このような構成によれば、より一層、閲覧者によるスクロールを伴う閲覧に追従して適切な広告を表示させることができる。なお、この構成の場合も、広告表示制御部２４６は、予め記事表示領域５１〜５３に記述されたそれぞれの記事ａ〜ｃを取得し、それぞれの記事ａ〜ｃに基づいて図４に示す処理により記事ａ〜ｃごとに商品を決定して当該商品の広告とともに上記表示割合に応じた広告表示切り替え制御を規定するスクリプトを端末ＴｎのＷｅｂブラウザへ送信するように構成することが望ましい。これにより、広告表示制御部２４６は広告表示領域に表示される広告をＷｅｂブラウザに切り替えさせる。
【００７３】
なお、上記実施形態において、情報提供サーバ１と広告処理サーバ２とは、ハードウェアが独立した構成としているが、情報提供サーバ１の機能が広告処理サーバ２に組み込まれるように構成してもよい。この場合、広告処理サーバ２は、端末ＴｎからＷｅｂページの要求があった場合に、図４に示す処理を行うことで決定した商品の広告を広告表示領域に組み込み、当該広告が組み込まれたＷｅｂページを端末Ｔｎへ送信することになる。
【符号の説明】
【００７４】
１  情報提供サーバ
２  広告処理サーバ
２１  通信部
２２  記憶部
２３  入出力インターフェース部
２４  システム制御部
Ｔｎ  端末
ＮＷ  ネットワーク
Ｓ  情報提供システム
【要約】
記事の登録者の意図に沿った広告を、当該Ｗｅｂサイトから提供されるページに表示させる広告として決定することが可能な情報処理装置、情報処理方法、及び情報処理プログラムを提供する。
情報処理装置は、Ｗｅｂページに記述された記事に基づいて商品の商品区分と当該商品区分に属する商品の属性の属性値とを特定し、且つ当該記事に基づいて当該属性値に対するページ管理者による評価を判定する。そして、情報処理装置は、当該特定された商品区分に属する商品で、且つ当該判定された評価に応じた選定条件を満たす商品を表示対象候補として選定し、当該選定した商品の中から、上記Ｗｅｂページにおける広告表示領域に広告を表示させる商品を決定する。【図１】
0005386659.tif 000002
【図２】
0005386659.tif 000003
【図３】
0005386659.tif 000004
【図４】
0005386659.tif 000005
【図５】
0005386659.tif 000006
【図６】
0005386659.tif 000007
【図７】
0005386659.tif 000008
【図８】
0005386659.tif 000009
【図９】
0005386659.tif 000010